(57)【要約】      （修正有）【課題】歪みのない航空写真地図上に誤差を生じることなく土地情報を図示できる土地管理台帳写真図作成システムを提供する。【解決手段】本システム１００は、地上を撮影した航空写真１Ａからデジタルオルソ写真１Ｂを作成するデジタルオルソ写真作成手段１０と、デジタルオルソ写真１Ｂから地上位置に係る座標位置ファイル２Ｆを作成する座標位置ファイル作成手段２０と、土地管理情報の記載された紙版地図３Ａを数値データ化する紙版地図データ化手段３０と、デジタルオルソ写真１Ｂの座標位置ファイル２Ｆに係るデータと紙版地図３に係るデータとを重ね合わせるデータ重ね合わせ手段４０と、重ね合わされたデータ４Ｄに基づき写真図５を出力する写真図出力手段５０とから構成される。【選択図】図２
0003116882.tif 000002
【実用新案登録請求の範囲】
【請求項１】
地上を撮影した航空写真からデジタルオルソ写真を作成するためのデジタルオルソ写真作成手段と、該デジタルオルソ写真から地上位置に係る座標位置ファイルを作成するための座標位置ファイル作成手段と、土地管理情報の記載された紙版地図を数値データ化するための紙版地図データ化手段と、該デジタルオルソ写真の座標位置ファイルに係るデータと該紙版地図に係るデータとを重ね合わせるためのデータ重ね合わせ手段と、該データ重ね合わせ手段により重ね合わされたデータに基づき写真図を出力するための写真図出力手段と、からなることを特徴とする、土地管理台帳写真図作成システム。
【請求項２】
前記紙版地図データ化手段は、紙版地図をラスター化し、これをさらにベクトル化する手段であることを特徴とする、請求項１に記載の土地管理台帳写真図作成システム。
【請求項３】
前記座標位置ファイル作成手段、紙版地図データ化手段およびデータ重ね合わせ手段にはＣＡＤソフトが用いられることを特徴とする、請求項２に記載の土地管理台帳写真図作成システム。
【請求項４】
請求項１ないし３のいずれかに記載の土地管理台帳写真図作成システムを用いて作成される、土地管理台帳写真図。
【考案の詳細な説明】
【技術分野】
【０００１】
本考案は土地管理台帳写真図作成システムおよび土地管理台帳写真図に係り、特に、歪みのない航空写真地図上に、大きな誤差を生じることなく土地情報を図示することのできる、土地管理台帳写真図作成システムおよび土地管理台帳写真図に関する。
【背景技術】
【０００２】
航空写真に基づき、これに電子計算機を用いた処理を施して所望の表示もしくはモデルを作成する技術としては、たとえば特許文献１のようなものが従来提案されている。航空写真は、広範囲にわたり地表面を俯瞰した図像が得られるため、土地利用状況の把握、大まかな地理地勢の把握などに便利である。
【０００３】
【特許文献１】特開２００１−１４３０５７「都市の３次元モデルを作成する方法」
【考案の開示】
【考案が解決しようとする課題】
【０００４】
さて、厳密な土地調査や土地管理は、不動産登記法に定めるいわゆる法第１７条地図に基づいてなされるべきものであるが、法第１７条地図のみでは、現実の土地の状況を容易かつ適切に把握することはできない。そこで、上述したような航空写真を利用することが考えられるが、通常の航空写真では、航空測量用レンズと地形による歪みのために、写真上の距離に大きな誤差が生じてしまい、正確な土地状況の調査・管理ができない。
【０００５】
本考案が解決しようとする課題は、かかる上記従来技術の問題点をなくし、歪みのない航空写真地図上に、大きな誤差を生じることなく土地情報を図示することのできる、土地管理台帳写真図作成システムおよび土地管理台帳写真図を提供することである。
【課題を解決するための手段】
【０００６】
本願考案者は上記課題について検討した結果、オルソ写真技術による歪み補正と、公共座標による位置情報付加等によって当該課題を解決できることを見出し、本考案に至った。すなわち、上記課題を解決するための手段として本願で実用新案登録請求される考案、もしくは少なくとも開示される考案は、以下の通りである。
【０００７】
（１）  地上を撮影した航空写真からデジタルオルソ写真を作成するためのデジタルオルソ写真作成手段と、該デジタルオルソ写真から地上位置に係る座標位置ファイルを作成するための座標位置ファイル作成手段と、土地管理情報の記載された紙版地図を数値データ化するための紙版地図データ化手段と、該デジタルオルソ写真の座標位置ファイルに係るデータと該紙版地図に係るデータとを重ね合わせるためのデータ重ね合わせ手段と、該データ重ね合わせ手段により重ね合わされたデータに基づき写真図を出力するための写真図出力手段と、からなることを特徴とする、土地管理台帳写真図作成システム。
（２）  前記紙版地図データ化手段は、紙版地図をラスター化し、これをさらにベクトル化する手段であることを特徴とする、（１）に記載の土地管理台帳写真図作成システム。
（３）  前記座標位置ファイル作成手段、紙版地図データ化手段およびデータ重ね合わせ手段にはＣＡＤソフトが用いられることを特徴とする、（２）に記載の土地管理台帳写真図作成システム。
（４）  （１）ないし（３）のいずれかに記載の土地管理台帳写真図作成システムを用いて作成される、土地管理台帳写真図。
【考案の効果】
【０００８】
本考案の土地管理台帳写真図作成システムおよび土地管理台帳写真図は上述のように構成されるため、これによれば、歪みのない航空写真地図上に、大きな誤差を生じることなく土地情報を図示することができる。つまり本考案によれば、正確かつ容易に、しかも写真という情報量が多く明確な媒体によって土地の把握ができ、その調査・管理を円滑に行うことができる。
【０００９】
また、本考案によれば、一度も現地に行ったことのないような場所であっても、縮尺を適宜に変更した写真図（写真地図）を作成することによって、その土地の正確な全体像を容易に把握することができる。
【００１０】
特に山間部や耕作地などでは、土地の形質の変更が少ないため、本考案によって作成される写真図を長期に亘って利用することができる。
【考案を実施するための最良の形態】
【００１１】
以下、本考案を図面により詳細に説明する。
図１−１は、本考案の土地管理台帳写真図作成システムの基本構成を示すブロック図、また、
図１−２は、図１−１の土地管理台帳写真図作成システムにおける作業フローを示すブロック図である。これらに図示するように本システム１００は、地上を撮影した航空写真１Ａからデジタルオルソ写真１Ｂを作成するためのデジタルオルソ写真作成手段１０と、該デジタルオルソ写真１Ｂから地上位置に係る座標位置ファイル２Ｆを作成するための座標位置ファイル作成手段２０と、土地管理情報の記載された紙版地図３Ａを数値データ化するための紙版地図データ化手段３０と、該デジタルオルソ写真１Ｂの座標位置ファイル２Ｆに係るデータと該紙版地図３に係るデータとを重ね合わせるためのデータ重ね合わせ手段４０と、該データ重ね合わせ手段４０により重ね合わされたデータ４Ｄに基づき写真図５を出力するための写真図出力手段５０と、からなることを主たる構成とする。
【００１２】
該デジタルオルソ写真作成手段１０としては、適宜のスキャナ、ワークステーション等の電子計算機、画像解析・オルソフォト作成ソフトにより構築されるシステムを用いることができる。
【００１３】
該座標位置ファイル作成手段２０、該紙版地図データ化手段３０、該データ重ね合わせ手段４０には、適宜の画像解析ソフトやＣＡＤソフトを用いることができる。また、該写真図出力手段５０としては、適宜の印刷装置を用いることができる。特に写真用紙を用いた印刷に適した装置を用いることが望ましい。
【００１４】
かかる構成により、本システム１００を用いれば、該デジタルオルソ写真作成手段１０によって該航空写真１Ａから該デジタルオルソ写真１Ｂが作成され、ついで該座標位置ファイル作成手段２０によって該デジタルオルソ写真１Ｂから地上位置に係る座標位置ファイル２Ｆが作成され、一方、該紙版地図データ化手段３０によって該紙版地図３Ａが数値データ化されてデータ３Ｄが作成され、該データ重ね合わせ手段４０によって該デジタルオルソ写真１Ｂの座標位置ファイル２Ｆに係るデータと該紙版地図３に係るデータ３Ｄとが重ね合わされてデータ４Ｄが作成され、そして、該写真図出力手段５０によって該重ね合わされたデータ４Ｄに基づき写真図５が出力される。すなわち本土地管理台帳写真図作成システム１００によれば、航空写真１Ａと紙版地図３Ａから、土地管理台帳写真図として用いることのできる、正確な土地情報の重ね合わされた航空写真地図（５）が得られる。
【００１５】
これらの図において、本システム１００の前記紙版地図データ化手段３０として、紙版地図３をラスター化し、これをさらにベクトル化する手段を用いるものとすることができる。かかる手段とすることにより、前記デジタルオルソ写真の座標位置ファイル２Ｆに係るデータとの重ね合わせ処理に適した該紙版地図３に係るデータ３Ｄを得ることができる。
【００１６】
これらの図において、本システム１００における前記座標位置ファイル作成手段２０、紙版地図データ化手段３０およびデータ重ね合わせ手段４０には、上述の通り、適宜のＣＡＤソフトを用いることができる。
【実施例】
【００１７】
以下、本考案の実施例を説明するが、本考案はかかる実施例に限定されるものではない。なお実施例では、官公庁で発注する測量作業の共通的な仕様書となっている「国土交通省公共測量作業規程」に基づき作業を行った。
＜１＞作業計画の立案（作業手法の決定）
本例における作業計画は、下記の通りとした。
作成するオルソ画像の縮尺：１／２５０００
空中写真の縮尺や撮影コース設定：
１／１１０００撮影  全４３コース  青森県三八上北地方（青森県南部  三戸郡五戸町兎内下保戸沢地区を含む）
標定点の点数・配点：標定点数  １２６点
空中三角測量の方法：バンドル法（ブロック調整計算）
図２に、本実施例の作業フロー図を示す。
【００１８】
＜２＞空中写真撮影
測量用空中写真は、幾何学的歪みの少ない航空カメラを用いて、真下方向に向けて撮影した。撮影は、あらかじめ計画された飛行コースと飛行高度に沿ってナビゲータの誘導に従って飛行し、６０％のオーバーラップとなるよう一定の間隔でシャッタを切った。また、コース間の重複  サイドラップは通常通り３０％とした。なお、左右でオーバーラップされた区域をモデル（実態視区域＝立体に見える区域）と呼ぶ。
【００１９】
＜３＞標定点の配点
空中写真を使用し地図を作成するためには、写真上の位置と地上の位置とを正確に対応付ける写真標定を行うが、この作業のために、あらかじめ水平位置（座標）および標高の明らかな地上の基準点および水準点、いわゆる「標定点」が必要となる。標定点には、既設の基準点や水準点を極力利用した。作業区域内に必要な既設点がない場合は、撮影完了後に航空写真を用いて標定点の選点を行い、現地確認後にＧＰＳ測量を用いて標定点作業を行った。
【００２０】
＜４＞航空写真スキャニング
撮影、現像されたフィルムを高精度のスキャナでデータ化した。本例では、１枚２４ｃｍ＊２６ｃｍ撮影フィルムを、フルカラー２４ビット１２７０ｄｐｉでスキャニングした（１／１０００〜のオルソフォト作成に適応・作業規程に基づく）。
【００２１】
＜５＞スキャニングデータをPCに読み込みさせる
スキャナーによりデータ化された航空写真を作業用パーソナルコンピュータ（ＰＣ）に取り込んだ。本例では、下記の装置およびソフトを用いた。
ＰＣ：ＤＥＬＬ社製ワークステーション（ＣＰＵ２．５ＧＢ  メモリ３．０ＧＢ）
画像解析・オルソ作成ソフト：ＢＡＥシステムズ社製  ＳＯＣＥＴ＿ＳＥＴ
【００２２】
＜６＞画像（スキャニングデータ）の解析（空中三角測量）
現地にて観測された標定点（座標数値・標高値）を用い、スキャニングされた航空写真に反映させていった。この作業を行うことにより、撮影された航空写真に座標位置・標高を持たせることができる。なお、基準点等だけでは不安定なため、作業規程に基づき任意にポイントを配点させ、写真同士を接続することとした。
【００２３】
ポイント配点の終了後、作業区域全体の解析計算を行った。これにより、任意に配点したポイントにも座標値が割り当てられる。座標値が割り当てられないものはエラーとなるため、これについては再度観測を行い、エラーを消していった。作業規程で定めている精度まで、再解析をかけた。本作業完了時には、現地地形とほぼ相違ないほどの地形モデルが出来上がった。
【００２４】
＜７＞三次元データ（ＤＴＭ  digital terrain model）の作成
出来上がった解析結果を用い、モデル標高データを作成した（三次元データ）。この作業は、標定点により解析された立体モデルを数値データ化する作業である。本作業に使用されるデータには、一般的に、グリットメッシュデータとＴＩＮデータ（不等辺三角網）の２種類があるが、本例ではグリットメッシュデータを使用した。立体モデルにメッシュを被せ、型枠を取るように三次元データを取得した。全て自動処理のため、処理後は目視による確認・修正を行った。
【００２５】
＜８＞デジタルオルソフォトの作成
デジタルオルソフォトは、切り出しを行う地区のスキャニングデータと三次元データにより作成した。作業者の入力により全て機械処理がなされ、選択された画像の立体モデルに三次元データが組み込まれ、鳥瞰図が作成されて図郭ごとに切り出された。左右の写真を接合させるため、接合ラインの見直しを行い修正を行った。三次元データが不良な場合は、鳥瞰図作成の際に画像が引き伸ばされ、歪んだ写真図が生成されるが、かかる場合は三次元データの修正を行った。こうして、標定点を用い空中三角測量により解析された立体モデルに三次元データを使用し作成したデジタルオルソ画像は、一般的な航空写真ではなく地上位置精度を持った地図写真図として活用できるものとなった。本例では、２５００図郭単位とし座標系は世界測地系で切り出しをした。
【００２６】
＜９＞オルソ画像の補備
作成したオルソ画像に、画像解析ソフトを用いて、色調整・写真の傷等の修整を施した。併せて、座標位置データも作成しておいた。使用したソフト等は下記の通りである。
使用ソフト
色調整・傷直し：ＡＤＯＢＥ社製  フォトショップ（登録商標）
座標位置データ作成：ＡＵＴＯＤＥＳＫ社製  ＡＵＴＯＣＡＤ（登録商標）
【００２７】
＜１０＞法第１７条地図の数値化（デジタル化）
法第１７条地図・土地登記謄本調査を法務局にて行い、必要な情報（副図コピー）を入手した。この情報は紙ベースのため、スキャニング作業を行ってデータ化した。また、データ化したものは歪みもあり位置情報も持たないため、補正を行い、位置情報の割り当てを行った。ここでの作業にも、下記ソフトを使用した。
ＡＵＴＯＤＥＳＫ社製  ＡＵＴＯＣＡＤ（登録商標）
【００２８】
スキャニングしたデータをＰＣに取り込み、上記ソフトを用いて座標位置合わせを行った。法第１７条地図の四隅に記載されている座標（世界測地系座標）を用いて四角を作成し、位置合わせを行った（アフィン変換三角三点法）。これにより、法第１７条地図データは四隅で座標が一致し、かつ歪みの補正もされ、位置情報を持つものとなった。
【００２９】
補正をした法第１７条地図データをＰＣ上でライン取得し数値データ化した。所定の地番を中心に、周囲１〜２ｃｍ程度多めに描画した。また、対象地番と対象外地番を明確にするために色を分けて作業を進めた。
【００３０】
＜１１＞重ね合わせ
ＡＵＴＯＣＡＤ（登録商標）を使用して、数値化された法第１７条地図データをオルソ画像データに重ねた。どちらのデータもＡＵＴＯＣＡＤ（登録商標）により補正され位置精度も持たせてあるため、両者は良好に重なった。重ねられたデータが法務局調査内容と相違ないかを確認し、住所・縮尺・方位等の整色事項を盛り込み、土地管理台帳写真図データの完成とした。なお、また、全ての法第１７条地図データを表記させた全体図もオルソ写真によって作成した。
【００３１】
＜１２＞出力
紙版の土地管理台帳写真図は、下記の印刷装置等を用いて出力した。
使用機器：エプソン社製  ＰＭ−４０００ＰＸ  ７色顔料インク  ２８８０＊１４４０ｄｐｉ対応
印刷用紙：エプソン純正写真用紙を使用
出力縮尺２０００をベースとして、Ａ３サイズにて出力
さらに、作成土地管理台帳写真図に係る所定の地番の面積集計表を作成し、重ね合わせ図一式、全体図一式と合わせてファイリングし、土地管理台帳写真図一式の完成とすることができる。
図３〜６に、本実施例により作成した土地管理台帳写真図一式の一部を示す。表示された地区は、青森県三戸郡五戸町兎内下保戸沢地区である。このうち、
図３は、本実施例により作成した土地管理台帳写真図一式を構成する対象地一覧表および面積集計表の表示、
図４は、本実施例により作成した土地管理台帳写真図一式を構成する、調査地区全体写真図、
図５は、本実施例により作成した土地管理台帳写真図一式を構成する写真図の一例、
図５−２、５−３は、図５の一部拡大図、
図６は同じく写真図の他の一例、そして、
図６−２は図６の一部拡大図である。
【００３２】
これらに図示されるように、本発明により、歪みなく作成された航空写真上に必要な土地情報を精度よく重ね合わせて表示でき、特に図５、６に表されるような山林などの地勢変化の少ない土地の表示を始めとして、土地の管理に便利であることが示された。
【産業上の利用可能性】
【００３３】
本考案の土地管理台帳写真図作成システムおよび土地管理台帳写真図によれば、歪みのない航空写真地図上に、大きな誤差を生じることなく土地情報を図示することができ、土地管理、土地調査等の分野において利用価値の高い考案である。
【図面の簡単な説明】
【００３４】
【図１−１】本考案の土地管理台帳写真図作成システムの基本構成を示すブロック図である。
【図１−２】図１−１の土地管理台帳写真図作成システムにおける作業フローを示すブロック図である。
【図２】本実施例の作業フロー図である。
【図３】本実施例により作成した土地管理台帳写真図一式を構成する対象地一覧表および面積集計表の表示である。
【図４】本実施例により作成した土地管理台帳写真図一式を構成する、調査地区全体写真図である。
【図５】本実施例により作成した土地管理台帳写真図一式を構成する写真図の一例である。
【図５−２】図５の一部拡大図である。
【図５−３】図５の一部拡大図である。
【図６】本実施例により作成した土地管理台帳写真図一式を構成する写真図の他の一例である。
【図６−２】図６の一部拡大図である。
【符号の説明】
【００３５】
１Ａ…航空写真１Ａ
１Ｂ…デジタルオルソ写真
２Ｆ…地上位置に係る座標位置ファイル
３Ａ…紙版地図
３Ｄ…データ化された紙版地図
４Ｄ…重ね合わされたデータ
５…写真図
１０…デジタルオルソ写真作成手段
２０…座標位置ファイル作成手段
３０…紙版地図データ化手段
４０…データ重ね合わせ手段
５０…写真図出力手段
１００…土地管理台帳写真図作成システム
【図１−１】
0003116882.tif 000003
【図１−２】
0003116882.tif 000004
【図２】
0003116882.tif 000005
【図３】
0003116882.tif 000006
【図４】
0003116882.tif 000007
【図５】
0003116882.tif 000008
【図５−２】
0003116882.tif 000009
【図５−３】
0003116882.tif 000010
【図６】
0003116882.tif 000011
【図６−２】
0003116882.tif 000012